(57)【要約】【課題】本発明は、独立したオペレーションシステムを搭載する装置間の情報の同期を速やかに行う。【解決手段】画像処理システム１は、通信回線４を介して通信する画像処理装置本体２及び操作部３が、それぞれ管理情報に対する変更要求を監視して、変更要求があると、該変更要求内容に応じて管理情報保持部２５、３３の該管理情報を変更するとともに、該変更要求内容を、通信Ｉ／Ｆ２８、３５を介して相手方２、３へ通知する。画像処理装置本体２及び操作部３は、管理情報の変更要求通知を受信すると、管理情報同期部２４、３２が、管理情報保持部２５、３３に記憶されている管理情報のうち、該変更要求通知に対応する管理情報を変更する。【選択図】          図１
2014110579.tif 000002
【特許請求の範囲】
【請求項１】
装置オペレーションシステムの管理する装置管理情報に基づき該装置オペレーションシステム上で動作して画像処理を行う画像処理装置本体と、前記装置オペレーションシステムとは独立した操作部オペレーションシステムの管理する操作部管理情報に基づき該操作部オペレーションシステム上で動作して前記画像処理装置本体に対する操作処理を行う操作部と、を備えた画像処理システムであって、
前記操作部は、
前記操作部管理情報に対する変更要求を受信する操作部管理情報変更要求受信手段と、
受信した前記変更要求に応じて前記操作部管理情報を変更する操作部管理情報変更手段と、
前記操作部管理情報の変更内容を前記画像処理装置本体へ通知する操作部管理情報通知手段と、
を備え、
前記画像処理装置本体は、
前記操作部から前記操作部管理情報の変更内容が通知されると、通知された該変更内容に対応する前記装置管理情報を変更する装置情報同期手段、
を備えていることを特徴とする画像処理システム。
【請求項２】
装置オペレーションシステムの管理する装置管理情報に基づき該装置オペレーションシステム上で動作して画像処理を行う画像処理装置本体と、前記装置オペレーションシステムとは独立した操作部オペレーションシステムの管理する操作部管理情報に基づき該操作部オペレーションシステム上で動作して前記画像処理装置本体に対する操作処理を行う操作部と、を備えた画像処理システムであって、
前記画像処理装置本体は、
前記装置管理情報に対する変更要求を受信する装置管理情報変更要求受信手段と、
受信した前記変更要求に応じて前記装置管理情報を変更する装置管理情報変更手段と、
前記装置管理情報の変更内容を前記操作部へ通知する装置管理情報通知手段と、
を備え、
前記操作部は、
前記画像処理装置本体から前記装置管理情報の変更内容が通知されると、通知された該変更内容に対応する前記操作部管理情報を変更する操作部情報同期手段、
を備えていることを特徴とする画像処理システム。
【請求項３】
前記画像処理装置本体は、
前記装置管理情報に対する変更要求を受信する装置管理情報変更要求受信手段と、
受信した前記変更要求に応じて前記装置管理情報を変更する装置管理情報変更手段と、
前記装置管理情報の変更内容を前記操作部へ通知する装置管理情報通知手段と、
を備え、
前記操作部は、
前記画像処理装置本体から前記装置管理情報の変更内容が通知されると、通知された該変更内容に対応する前記操作部管理情報を変更する操作部情報同期手段、
を備えていることを特徴とする請求項１記載の画像処理システム。
【請求項４】
前記装置情報同期手段は、
通知された前記変更内容に対応する前記装置管理情報の変更が禁止されている場合、前記装置管理情報を初期値に設定するか、あるいは、前記装置管理情報を変更しないことを特徴とする請求項１または請求項３記載の画像処理システム。
【請求項５】
前記操作部情報同期手段は、
通知された前記変更内容に対応する前記操作部管理情報の変更が禁止されている場合、前記操作部管理情報を初期値に設定するか、あるいは、前記操作部管理情報を変更しないことを特徴とする請求項２または請求項３記載の画像処理システム。
【請求項６】
前記装置情報同期手段は、
通知された前記変更内容に対応する前記装置管理情報の変更が禁止されている場合、前記装置管理情報を初期値に設定するか、あるいは、前記装置管理情報を変更しないのいずれかをユーザに選択させることを特徴とする請求項１または請求項３記載の画像処理システム。
【請求項７】
前記操作部情報同期手段は、
通知された前記変更内容に対応させた前記操作部管理情報の変更が禁止されている場合、前記操作部管理情報を初期値に設定するか、あるいは、前記操作部管理情報を変更しないのいずれかをユーザに選択させることを特徴とする請求項２または請求項３記載の画像処理システム。
【請求項８】
前記装置管理情報及び前記操作部管理情報が、時刻、言語、タイマ、音量、ネットワーク設定、アカウントのうち少なくとも１つ以上であることを特徴とする請求項１から請求項７のいずれか１項に記載の画像処理システム。
【請求項９】
装置オペレーションシステムの管理する装置管理情報に基づき該装置オペレーションシステム上で動作して画像処理を行う画像処理装置本体と、前記装置オペレーションシステムとは独立した操作部オペレーションシステムの管理する操作部管理情報に基づき該操作部オペレーションシステム上で動作して前記画像処理装置本体に対する操作処理を行う操作部と、を備えた画像処理システムにおける情報同期方法であって、
前記画像処理装置本体が、
前記装置管理情報に対する変更要求を受信する装置管理情報変更要求受信処理ステップと、
受信した前記変更要求に応じて前記装置管理情報を変更する装置管理情報変更処理ステップと、
前記装置管理情報の変更内容を前記操作部へ通知する装置管理情報通知処理ステップと、
前記操作部から前記操作部管理情報の変更内容が通知されると、通知された変更内容に対応する前記装置管理情報を変更する装置情報同期処理ステップと、
を有し、
前記操作部が、
前記操作部管理情報に対する変更要求を受信する操作部管理情報変更要求受信処理ステップと、
受信した前記変更要求に応じて前記操作部管理情報を変更する操作部管理情報変更処理ステップと、
前記操作部管理情報の変更内容を前記画像処理装置本体へ通知する操作部管理情報通知処理ステップと、
前記画像処理装置本体から前記装置管理情報の変更内容が通知されると、通知された変更内容に対応する前記操作部管理情報を変更する操作部情報同期処理ステップと、
を有していることを特徴とする情報同期方法。
【発明の詳細な説明】
【技術分野】
【０００１】
本発明は、画像処理システム及び情報同期方法に関し、詳細には、独立したオペレーションシステムを搭載する画像処理装置本体と操作部との情報の同期を行う画像処理システム及び情報同期方法に関する。
【背景技術】
【０００２】
プリンタ装置、ファクシミリ装置、複写装置、複合装置、スキャナ装置等の画像処理装置においては、従来、画像処理装置に固定的に設けられている操作表示部を用いて、該画像処理装置に動作させる操作命令の入力や画像処理装置からの各種情報の表示等を行なっている。
【０００３】
そして、従来、操作性の向上を図るために、操作表示部を装置本体から取り外し可能とし、操作表示部と装置本体の通信を行なって、該操作表示部での操作や表示情報の表示を行う技術が示されている（特許文献１参照）。
【発明の概要】
【発明が解決しようとする課題】
【０００４】
上記従来技術にあっては、操作表示部が、装置から取り外し可能となっているが、基本的に、操作表示部は、装置のＯＳ（Operating System：オペレーションシステム）で動作し、動作に必要な情報の交換が適時に行われている。
【０００５】
ところで、画像処理装置本体と操作部とがそれぞれ独立したＯＳを搭載して、それぞれ独立して機能を実現することも考えられる。
【０００６】
しかしながら、画像処理装置本体と操作部が独立したＯＳを搭載する場合、各ＯＳの管理する管理情報が自動的に適時に同期されることはない。その結果、時刻等の双方のＯＳが管理している管理情報に相違があったり、画像処理装置本体における画像処理に関連する管理情報に相違が発生することがある。
【０００７】
このような画像処理装置本体と操作部との間の情報の相違は、許容される情報と許容され難い情報とがある。
【０００８】
例えば、時刻情報は、許容され難い情報となりうることがある。すなわち、画像処理装置本体のアプリケーションのライセンス無効時刻が、操作部に表示されている無効時刻と画像処理装置本体での無効時刻とが異なる場合、時刻指定印刷において、操作部で表示されている時刻と画像処理装置本体で実際に印刷される時刻とがずれてしまう場合、操作部で表示されている印刷時刻と画像処理装置本体で印刷物に印字される時刻がずれる場合、操作部上で表示されている時刻と画像処理装置本体で印刷した際のログに残る時刻がずれる場合、ウィークリータイマーによって画像処理装置本体の電源が実際に入／切される時刻と操作部で表示されている時刻とがずれる場合等が発生する。
【０００９】
このような事態は、個別にＯＳを備えた操作部を利用して、画像処理装置本体を操作する上で、解決の必要な問題となってきている。
【００１０】
そこで、本発明は、画像処理装置本体と操作部の相互に独立したオペレーションシステムの管理する管理情報を速やかに同期させて、画像処理の適切化を図ることを目的としている。
【課題を解決するための手段】
【００１１】
上記目的を達成するために、請求項１記載の画像処理システムは、装置オペレーションシステムの管理する装置管理情報に基づき該装置オペレーションシステム上で動作して画像処理を行う画像処理装置本体と、前記装置オペレーションシステムとは独立した操作部オペレーションシステムの管理する操作部管理情報に基づき該操作部オペレーションシステム上で動作して前記画像処理装置本体に対する操作処理を行う操作部と、を備えた画像処理システムであって、前記操作部は、前記操作部管理情報に対する変更要求を受信する操作部管理情報変更要求受信手段と、受信した前記変更要求に応じて前記操作部管理情報を変更する操作部管理情報変更手段と、前記操作部管理情報の変更内容を前記画像処理装置本体へ通知する操作部管理情報通知手段と、を備え、前記画像処理装置本体は、前記操作部から前記操作部管理情報の変更内容が通知されると、通知された該変更内容に対応する前記装置管理情報を変更する装置情報同期手段と、を備えていることを特徴としている。
【発明の効果】
【００１２】
本発明によれば、画像処理装置本体と操作部の相互に独立したオペレーションシステムの管理する管理情報を速やかに同期させて、画像処理の適切化を図ることができる。
【図面の簡単な説明】
【００１３】
【図１】本発明の一実施例を適用した画像処理システムの構成図。
【図２】時刻設定変更の同期処理を示すシーケンス。
【図３】言語設定変更の同期処理を示すシーケンス図。
【図４】初期値変更を伴わないアプリケーション情報設定変更の同期処理を示すシーケンス図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図４は、本発明の画像処理システム及び情報同期方法の一実施例を示す図であり、図１は、本発明の画像処理システム及び情報同期方法の一実施例を適用した画像処理システム１のブロック構成図である。
【００１６】
図１において、画像処理システム１は、画像処理装置本体２と、操作部３と、を備えており、操作部３は、該画像処理装置本体２に対して、ＵＳＢ（Universal Serial Bus）等によって有線の通信回線４で接続されている。なお、操作部３は、無線の適宜の通信方式の通信回線によって接続されていてもよいし、有線及び無線の通信回線を併用して接続されていてもよい。
【００１７】
画像処理装置本体２は、例えば、ファクシミリ装置、複写装置、プリンタ装置、スキャナ装置、複合装置等の画像処理装置本体であり、本実施例では、複合装置が用いられている。画像処理装置本体２は、画像処理装置本体として必要なスキャナデバイス２１やプロッタデバイス２２等のハードウェアを備えている。また、画像処理部本体２は、ハードウェアであるハードディスクやＲＯＭ（Read Only Memory）等に格納されているＯＳ（Operating System：オペレーションシステム）２０上に、各種アプリケーションが搭載されることで、ハードウェアを利用した各種動作機能、プリンタ機能、スキャナ機能、コピー機能、ファクシミリ機能、フォルダ送信、メール通信等を実行する。画像処理装置本体２は、そのＯＳ２０として、例えば、ＵＮＩＸ（登録商標）等の汎用ＯＳが用いられている。
【００１８】
すなわち、画像処理装置本体２は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の情報同期方法のうち、画像処理装置本体２で実行する情報同期方法を実行させる画像処理装置本体２用の情報同期プログラムを読み込んで、図示しない不揮発性メモリやハードディスク等に導入することで、後述する画像処理装置本体２の管理情報（装置管理情報）と操作部３の管理情報（操作部管理情報）を同期させる情報同期方法を実行する画像処理装置本体として構築されている。この情報同期プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１９】
そして、画像処理装置本体２は、上述のように、画像処理装置として必要なスキャナデバイス２１、プロッタデバイス２２等各部を備えているとともに、画像処理装置本体２用の情報同期プログラムが導入されることで、印刷制御部２３、管理情報同期部２４、管理情報保持部２５、送信制御部２６、通信制御部２７及び通信Ｉ／Ｆ２８等が構築されている。
【００２０】
スキャナデバイス２１は、例えば、ＣＣＤ（Charge Coupled Device ）またはＣＭＯＳ（Complementary Metal Oxide Semiconductor ）を利用したイメージスキャナ等が利用されており、一般的に、ＡＤＦ（Auto Document Feeder）を備えている。ＡＤＦは、セットされた原稿を１枚ずつスキャナデバイス２１の原稿読取位置に送給する。スキャナデバイス２１は、ＡＤＦから搬送されてきた原稿に光を照射し、原稿で反射された光をＣＣＤまたはＣＭＯＳで光電変換して、原稿の画像を所定の解像度で読み取る。また、スキャナデバイス２１は、読み取った画像データに対して必要な画像処理を施して、送信制御部２６に渡す。
【００２１】
プロッタデバイス２２は、印刷制御部２３から渡される描画データ及び制御信号に基づいて、用紙に画像を印刷出力（画像形成出力）して、印刷済みの用紙を、排紙トレイ上に排出する。すなわち、プロッタデバイス２２は、電子写真方式のエンジンの場合、図示しないが、電子写真方式で用紙に描画データに基づいて印刷処理を行うのに必要な部品、例えば、感光体、帯電部、光書き込み部、現像部、転写部及びクリーニング部等からなる画像形成ユニットを備えており、プロッタデバイス２２がカラープロッタであるときには、画像形成ユニットをカラー分、例えば、ＣＭＹＫ分だけ備えている。プロッタデバイス２２は、描画データ及び制御信号により光書き込み部を動作させて、帯電部による一様に帯電されている感光体上に静電潜像を形成して、現像部によりトナーを感光体上に供給して現像してトナー画像を形成する。プロッタデバイス２２は、給紙部から用紙を感光体と転写部との間に給紙して、感光体上のトナー画像を転写部によって用紙に転写させ、トナー画像の転写された用紙を定着部に搬送して、定着部で加熱・加圧して用紙上のトナー画像を定着させることで、印刷処理を行う。
【００２２】
印刷制御部２３は、スキャナデバイス２１、プロッタデバイス２２及び管理情報保持部２５に接続され、管理情報保持部２５内に保持されているＯＳ３０の管理する装置管理情報に基づいて、スキャナデバイス２１、プロッタデバイス２２及びその他の動作制御を行う。
【００２３】
管理情報保持部２５は、不揮発性メモリ等で構築され、画像処理装置本体２の動作に必要な管理情報を記憶する。この管理情報は、ＯＳ２０自身が管理する各種管理情報及びＯＳ２０上で動作する各種アプリケーションソフトウェアの管理する各種管理情報等があり、以下、纏めて、単に、管理情報または装置管理情報という。
【００２４】
通信Ｉ／Ｆ２８は、上記ＵＳＢ等の通信回線４を介して操作部３と通信する。
【００２５】
通信制御部２７は、通信Ｉ／Ｆ２８を介して受信するデータを制御して、画像処理装置本体２の各部にデータを転送したり、画像処理装置本体２の各部から受信するデータを制御して、通信Ｉ／Ｆ２８を介して操作部３や他の装置へ転送したりする。
【００２６】
管理情報同期部（装置管理情報変更要求受信手段、装置管理情報変更手段、装置管理情報通知手段、装置情報同期手段）２４は、管理情報保持部２５に保持されている上記管理情報（装置管理情報）を管理し、操作部３から操作部管理情報の変更内容が通知されると、通知された該変更内容に対応する前記装置管理情報を変更する。また、管理情報同期部２４は、例えば、ネットワークを介して接続されたクライアントＰＣ等から装置管理情報に対する変更要求を通信Ｉ／Ｆ２８を介して受信し、受信した該変更要求に応じて装置管理情報を変更する。さらに、管理情報同期部２４は、装置管理情報の変更内容を通信Ｉ／Ｆ２８を介して操作部３へ通知する。
【００２７】
送信制御部２６は、スキャナデバイス２１の読み取った画像データを、他の装置に通信Ｉ／Ｆ２８を介して転送してその装置の記憶部のフォルダに記憶させるフォルダ送信、ＳＭＢ（Server Message Block）を用いて他の装置にネットワークを介して添付文書として文書画像データを添付してメールで送信するメール送信、画像処理装置本体２に着脱可能に装着されたＵＳＢ（Universal Serial Bus）メモリ、ＳＤメモリ等の電子メディアに書き込む電子メディア書き込み出力及び自機でのプリント出力や操作部３への表示出力等の出力方式を利用して出力する。
【００２８】
画像処理装置本体２は、本実施例では、その操作表示部として、画像処理装置本体２とＵＳＢ等の有線の通信回線４で接続された操作部３が利用されるが、その他に、画像処理装置本体２とは別体の携帯端末装置として構成され、画像処理装置本体２と無線の通信回線で接続される１つまたは複数の操作部３を利用するようにしてもよい。この場合、画像処理装置本体２は、図示しないが、画像処理装置本体２のＯＳ２０で制御される操作表示部を別途備えていてもよい。この操作表示部としては、画像処理装置本体２の各種機能を動作させるのに必要な命令を入力操作する操作キー及び必要な各種情報を表示するディスプレイを備えている。この操作表示部から装置管理情報への変更要求を入力することにより、画像処理装置本体２の管理情報同期部２４が装置管理情報に対する変更要求を受信することができる。
【００２９】
そして、操作部３は、操作表示部３１等のハードウェアを備えているとともに、ハードウェアであるＲＯＭやＲＡＭ（Random Access Memory）等に格納されているＯＳ３０上に、各種アプリケーションが搭載されることで、ハードウェアを利用した各種動作機能、通信機能等を実行する。操作部３は、そのＯＳ３０として、例えば、画像処理装置本体２のＯＳ２０と同じＵＮＩＸ、あるいは、ＯＳ２０とは異なるAndroid（登録商標）、IOS（登録商標）、windows（登録商標）等のＯＳがＯＳ２０とは独立して搭載されている。
【００３０】
すなわち、操作部３は、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の情報同期方法のうち、操作部３で実行する情報同期方法を実行させる操作部３用の情報同期プログラムを読み込んで、図示しないＲＯＭ等の不揮発性メモリ等に導入することで、後述する操作部３の情報と画像処理装置本体２の情報を同期させる情報同期方法を実行する携帯端末装置として構築されている。この情報同期プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３１】
また、操作部３は、画像処理装置本体２に各種動作を行わせる操作表示部として動作するのに必要な操作表示アプリケーションが導入されて、搭載されている。したがって、操作部３は、画像処理装置本体２の操作部として機能する。
【００３２】
そして、操作部３は、上述のように、操作部３として必要な操作表示部３１等各部を備えているとともに、操作部３用の情報同期プログラムが導入されることで、管理情報同期部３２、管理情報保持部３３、通信制御部３４及び通信Ｉ／Ｆ３５等が構築されている。
【００３３】
管理情報保持部３３は、不揮発性メモリ等で構築され、操作部３の動作に必要な各種管理情報、特に、操作部３が画像処理装置本体２の操作表示部として機能するのに必要な各種管理情報であって、ＯＳ３０自身が管理する各種情報及びＯＳ３０上で動作する各種アプリケーションソフトウェアの管理する各種管理情報（以下、適宜、操作部管理情報という。）を記憶する。
【００３４】
管理情報同期部（操作部管理情報変更要求受信手段、操作部管理情報変更手段、操作部管理情報通知手段、操作部情報同期手段）３２は、管理情報保持部３３に保持されている操作部管理情報のうち、画像処理装置本体２の管理する装置管理情報と同期させる必要のある操作部管理情報に変更が発生すると、画像処理装置本体２の対応する情報と同期させる。すなわち、管理情報同期部３２は、操作部管理情報に対する変更要求を受信し、受信した該変更要求に応じて操作部管理情報を変更する。また、管理情報同期部３２は、操作部管理情報の変更内容を通信Ｉ／Ｆ３５を介して画像処理装置本体２へ通知する。さらに、管理情報同期部３２は、画像処理装置本体２から装置管理情報の変更内容が通知されると、通知された該変更内容に対応する操作部管理情報を変更する。
【００３５】
通信Ｉ／Ｆ３５は、上記ＵＳＢ等の通信回線４によって画像処理装置本体２と通信する。
【００３６】
通信制御部３４は、通信Ｉ／Ｆ３５を介して受信するデータを制御して、操作部３の各部にデータを転送したり、操作部３の各部から受信するデータを制御して、通信Ｉ／Ｆ３５を介して画像処理装置本体２や他の装置へ転送したりする。また、通信制御部３４は、操作表示部３１から入力された操作部管理情報に対する変更要求を受信し、管理情報同期部３２に渡す。
【００３７】
次に、本実施例の作用を説明する。本実施例の画像処理システム１は、画像処理装置本体２と操作部３がそれぞれ独立したＯＳ２０、ＯＳ３０を搭載し、各ＯＳ２０とＯＳ３０の管理する管理情報の同期を速やかに行う。
【００３８】
画像処理システム１を構成する画像処理装置本体２の搭載するＯＳ２０と操作部３の搭載するＯＳ３０が管理する管理情報であって、同期する必要のある情報としては、種々あり、必ず同期させる必要のある必然同期情報、基本的には同期させるが初期値に戻す場合もある基本同期情報、基本的には同期するが同期させない場合もある必要同期情報等がある。
【００３９】
例えば、必然同期情報としては、現在時刻情報、ネットワークに接続する際に利用するプロキシ情報やＤＨＣＰ（Dynamic Host Configuration Protocol）情報、利用可能アプリケーション情報等がある。
【００４０】
また、基本同期情報としては、言語、サマータイム情報、年月日表示形式情報、警告音、ネットワークのログイン名、パスワード等がある。サマータイム情報は、サマータイムのＯＮ／ＯＦＦ設定情報、ＯＦＦに設定すると、公用性が高まる。年月日表示形式情報は、例えば、YYY/MM/DD、DD/MM/YYYY等の年月日を表示する形式である。警告音は、ジャム発生等のユーザに障害を知らせる警告音の音量であり、障害をユーザに知らせるためには、ＯＦＦ設定されても、初期値として、警告音ＯＮとする。ネットワークのログイン名、パスワードは、操作部３と画像処理装置本体２との間で、他のアカウントが保持されないように、初期化することが適切な場合がある。
【００４１】
そして、必要同期情報としては、ログオフタイマ、オートリセットタイマ、メディア音量等がある。ログオフタイマは、操作が行われずに所定時間経過すると自動でログオフする時間であるが、セキュリティを高めるためには、同期させるが、セキュリティホールを防止するためには、同期させない場合もある。オートリセットタイマは、印刷利用者が設定した印刷設定をクリアするまでの時間であり、基本的には同期させるが、セキュリティホールの発生を防止するために、同期させないこともある。メディア音量は、音楽の再生のユーザに付加価値を与える音の音量であり、基本的には同期するが、基本機能に影響がないため、同期しない場合もある。
【００４２】
まず、必然同期情報の同期処理について、現在時刻情報を例として、図２に基づいて説明するが、画像処理システム１は、図２に示すように、初期設定モードがある。
【００４３】
画像処理システム１は、この初期設定モードで、管理情報の変更があった場合に同期を行うか否かの設定、管理情報の変更要求があっても情報変更が禁止されている場合に、初期値を設定すること、また、管理情報の変更要求があっても情報変更が禁止されている場合に、初期値と現在の設定値のいずれにするか選択設定すること等を行うことができる。
【００４４】
すなわち、画像処理システム１は、図２に示すように、例えば、ユーザＵが、操作部３の操作表示部３１のタッチパネル等を操作して、管理情報同期部３２に対して管理情報の同期設定（同期のＯＮ／ＯＦＦ、初期値設定、初期値と現在値のいずれにするかの設定等）を行う（Ｓ１）。管理情報同期部３２は、同期設定が行なわれると、画像処理装置本体２の管理情報同期部２４とセッションを確立して、同期設定情報の通知を行う（Ｓ２）。
【００４５】
そして、画像処理システム１は、図２に示すように、ユーザＵが、操作部３の操作表示部３１を操作して必然同期情報である現在時刻の設定操作を行うと、通信制御部３４が該現在時刻情報の設定変更を取得して、設定変更された現在時刻情報を管理情報同期部３２に通知する（Ｓ３）。
【００４６】
管理情報同期部３２は、管理情報保持部３３に格納されている現在時刻情報を、設定変更された現在時刻情報で変更する（Ｓ４）。また、管理情報同期部３２は、設定変更された現在時刻情報の変更通知を、通信制御部３４及び通信Ｉ／Ｆ３５を介して、画像処理装置本体２の管理情報同期部２４に送信する（Ｓ５）。
【００４７】
画像処理装置本体２は、通信Ｉ／Ｆ２８が操作部３から現在時刻情報の変更通知を受信すると、管理情報同期部２４が、変更通知された現在時刻情報に基づいて、管理情報保持部２５の時刻情報を変更する（Ｓ６）。
【００４８】
画像処理システム１は、同様に、図２に示すように、ユーザＵが、画像処理装置本体２において、例えば、ネットワークを介して画像処理装置本体２に接続されたクライアントＰＣ等を用いて、現在時刻情報の変更設定を行うと、通信制御部２７が該現在時刻情報の設定変更を取得して、管理情報同期部２４に通知する（Ｓ７）。
【００４９】
管理情報同期部２４は、現在時刻情報の設定変更を取得すると、管理情報保持部２５に格納されている現在時刻情報を、設定された現在時刻情報で変更する（Ｓ８）。また、管理情報同期部２４は、設定変更された現在時刻情報の変更通知を、通信制御部２７及び通信Ｉ／Ｆ２８を介して、操作部３の管理情報同期部３２に送信する（Ｓ９）。
【００５０】
操作部３は、通信Ｉ／Ｆ３５が画像処理装置本体２から現在時刻情報の変更通知を受信すると、管理情報同期部３２が、変更通知された現在時刻情報に基づいて、管理情報保持部３３の時刻情報を変更する（Ｓ１０）。
【００５１】
このようにすることで、独立したＯＳ２０、３０を搭載している画像処理装置本体２と操作部３との間で、同期させておく必要のある管理情報に変更が発生すると、該変更内容を速やかに同期させることができる。その結果、上述のような画像処理装置本体２のアプリケーションのライセンス無効時刻が、操作部３に表示されている無効時刻と画像処理装置本体２での無効時刻とが異なる場合、時刻指定印刷において、操作部３で表示されている時刻と画像処理装置本体２で実際に印刷される時刻とがずれてしまう場合、操作部３で表示されている印刷時刻と画像処理装置本体２で印刷物に印字される時刻がずれる場合、操作部３で表示されている時刻と画像処理装置本体２で印刷した際のログに残る時刻がずれる場合、ウィークリータイマーによって画像処理装置本体２の電源が実際に入／切される時刻と操作部３で表示されている時刻とがずれる場合等が発生することを防止することができる。
【００５２】
次に、基本同期情報の同期処理について、言語情報を例として、図３に基づいて説明する。
【００５３】
画像処理システム１は、図３に示すように、ユーザＵが、操作部３の操作表示部３１を操作して、言語情報の設定変更を行うと、通信制御部３４が、該言語情報の設定変更を取得して、設定変更された言語情報を管理情報同期部３２に通知する（Ｓ１１）。
【００５４】
管理情報同期部３２は、管理情報保持部３３に格納されている言語情報を、設定変更された言語情報で変更する（Ｓ１２）。また、管理情報同期部３２は、設定変更された言語情報の変更通知を、通信制御部３４及び通信Ｉ／Ｆ３５を介して、画像処理装置本体２の管理情報同期部２４に送信する（Ｓ１３）。
【００５５】
画像処理装置本体２は、通信Ｉ／Ｆ２８が操作部３から言語情報の変更通知を受信すると、管理情報同期部２４が、変更通知された言語情報について、まず、変更指定された言語を備えているかチェックする（Ｓ１４）。
【００５６】
管理情報同期部２４は、変更指定された言語を備えているときには、管理情報保持部２５の言語情報を、変更通知の言語情報に変更する（Ｓ１５）。
【００５７】
管理情報同期部２４は、変更指定された言語を備えていないときには、管理情報保持部２５の言語情報を、初期値に設定する（Ｓ１６）。
【００５８】
なお、図３には図示しないが、ユーザＵが、例えば、ネットワークを介して画像処理装置本体２に接続されたクライアントＰＣ等を用いて、画像処理装置本体２側で言語設定を行うと、図２のユーザＵが画像処理装置本体２の管理情報同期部２４に設定操作した場合と同様の手順で、図３の場合と同様に、言語情報の同期処理を行う。この場合、操作部３は、管理情報保持部３３に、変更通知された言語を備えていないときには、管理情報同期部３２が、管理情報保持部３３の言語情報を、初期値に設定する。
【００５９】
このようにすると、独立したＯＳ２０、３０を搭載している画像処理装置本体２と操作部３との間で、同期させておく必要のある基本同期情報を、画像処理装置本体２と操作部３のいずれかで、その基本同期情報に変更が発生すると、速やかに同期させることができる。また、同期させることができなかったり、初期値に設定する必要のある基本同期情報については、初期値に設定することができる。その結果、例えば、警告音の場合、ユーザＵによっては、鳴る必要がないときには、設定を鳴らさない設定とすることもできるが、ユーザＵが障害のある場合には、必ず鳴らしたほうがよいため、初期設定として鳴らすように設定されていると、鳴らすという初期設定に戻すことができる。
【００６０】
次に、必要同期情報の同期処理について、アプリケーションの管理情報を例として、図４に基づいて説明する。
【００６１】
画像処理システム１は、図４に示すように、ユーザＵが、操作部３の操作表示部３１を操作して、アプリケーションの管理情報としての利用制限設定を行うと、通信制御部３４が、該アプリケーションの利用制限設定変更を取得して、設定変更されたアプリケーションの利用制限情報を管理情報同期部３２に通知する（Ｓ２１）。
【００６２】
管理情報同期部３２は、管理情報保持部３３に格納されているアプリケーションの利用制限情報を、設定変更されたアプリケーションの利用制限情報で変更する（Ｓ２２）。また、管理情報同期部３２は、設定変更されたアプリケーションの利用制限情報の変更通知を、通信制御部３４及び通信Ｉ／Ｆ３５を介して、画像処理装置本体２の管理情報同期部２４に送信する（Ｓ２３）。
【００６３】
画像処理装置本体２は、通信Ｉ／Ｆ２８が操作部３からアプリケーションの利用制限情報の変更通知を受信すると、管理情報同期部２４が、変更通知されたアプリケーションの利用制限情報に基づいて、全てのアプリケーションを検索して、変更通知されたアプリケーションを搭載しているかチェックする（Ｓ２４）。
【００６４】
管理情報同期部２４は、変更通知されたアプリケーションを搭載しているときには、管理情報保持部２５のアプリケーションの利用制限情報を、変更通知のアプリケーションの利用制限情報に変更する（Ｓ２５）。
【００６５】
管理情報同期部２４は、変更指定されたアプリケーションを搭載していないときには、管理情報保持部２５の該アプリケーションの利用制限に関しては、意味をなさないため、図４には図示しないが、無視するか、アプリケーションを搭載していない旨を操作部３の管理情報同期部３２に通知する等の処理を行う。
【００６６】
なお、図４には図示しないが、ユーザＵが、例えば、ネットワークを介して画像処理装置本体２に接続されたクライアントＰＣ等を用いて、画像処理装置本体２側でアプリケーションの利用制限設定を行うと、図２のユーザＵが画像処理装置本体２の管理情報同期部２４に設定操作した場合と同様の手順で、図４の場合と同様に、アプリケーション利用制限情報の同期処理を行う。
【００６７】
このようにすると、独立したＯＳ２０、３０を搭載している画像処理装置本体２と操作部３との間で、同期させておく必要のある必要同期情報を、画像処理装置本体２と操作部３のいずれかで、その必要同期情報に変更が発生すると、速やかに同期させることができる。また、同期させることができなかったり、同期の必要がないときには、同期要求を無視する。その結果、例えば、セキュリティを高めるために操作が行われずに設定された時間経過した際に、自動でログオフするログオフタイマの場合、ユーザＵによっては、ログオフタイマの設定変更が行われると、基本的には、同期処理を行うが、セキュリティホールに繋がる場合には、同期を行わない場合もある。
【００６８】
このように、本実施例の画像処理システム１は、ＯＳ（装置オペレーションシステム）２０の管理する装置管理情報に基づき該ＯＳ２０上で動作して画像処理を行う画像処理装置本体２と、ＯＳ２０とは独立したＯＳ（操作部オペレーションシステム）３０の管理する操作部管理情報に基づき該ＯＳ３０上で動作して画像処理装置本体２に対する操作処理を行う操作部３と、を備え、操作部３が、前記操作部管理情報に対する変更要求を受信する管理情報同期部（操作部管理情報変更要求受信手段）３２と、受信した前記変更要求に応じて前記操作部管理情報を変更する管理情報同期部（操作部管理情報変更手段）３２と、前記操作部管理情報の変更内容を画像処理装置本体２へ通知する管理情報同期部（操作部管理情報通知手段）３２と、を備え、画像処理装置本体２が、操作部３から前記操作部管理情報の変更内容が通知されると、通知された該変更内容に対応する前記装置管理情報を変更する管理情報同期部（装置情報同期手段）２４を備えている。
【００６９】
したがって、画像処理装置本体２と操作部３の相互に独立したＯＳ２０、ＯＳ３０の管理する管理情報を速やかに同期させることができ、画像処理の適切化を図ることができる。
【００７０】
また、本実施例の画像処理システム１は、ＯＳ２０の管理する装置管理情報に基づき該ＯＳ２０上で動作して画像処理を行う画像処理装置本体２と、ＯＳ２０とは独立したＯＳ３０の管理する操作部管理情報に基づき該ＯＳ３０上で動作して画像処理装置本体２に対する操作処理を行う操作部３と、を備え、画像処理装置本体２が、前記装置管理情報に対する変更要求を受信する管理情報同期部（装置管理情報変更要求受信手段）２４と、受信した前記変更要求に応じて前記装置管理情報を変更する管理情報同期部（装置管理情報変更手段）２４と、前記装置管理情報の変更内容を操作部３へ通知する管理情報同期部（装置管理情報通知手段）２４と、を備え、操作部３が、画像処理装置本体２から前記装置管理情報の変更内容が通知されると、通知された該変更内容に対応する前記操作部管理情報を変更する管理情報同期部（操作部情報同期手段）３２を備えている。
【００７１】
したがって、例えば、クライアント装置等から画像処理装置本体２にアクセスがあって、画像処理装置本体２のＯＳ２０の管理する管理情報に対して変更が行われた場合等においても、画像処理装置本体２と操作部３の相互に独立したＯＳ２０、ＯＳ３０の管理する管理情報を速やかに同期させることができ、画像処理の適切化を図ることができる。
【００７２】
さらに、本実施例の画像処理システム１は、ＯＳ２０の管理する装置管理情報に基づき該ＯＳ２０上で動作して画像処理を行う画像処理装置本体２と、ＯＳ２０とは独立したＯＳ３０の管理する操作部管理情報に基づき該ＯＳ３０上で動作して画像処理装置本体２に対する操作処理を行う操作部３と、を備え、画像処理装置本体２が、前記装置管理情報に対する変更要求を受信する装置管理情報変更要求受信処理ステップと、受信した前記変更要求に応じて前記装置管理情報を変更する装置管理情報変更処理ステップと、前記装置管理情報の変更内容を操作部３へ通知する装置管理情報通知処理ステップと、操作部３から前記操作部管理情報の変更内容が通知されると、通知された変更内容に対応する前記装置管理情報を変更する装置情報同期処理ステップと、を有し、操作部３が、前記操作部管理情報に対する変更要求を受信する操作部管理情報変更要求受信処理ステップと、受信した前記変更要求に応じて前記操作部管理情報を変更する操作部管理情報変更処理ステップと、前記操作部管理情報の変更内容を画像処理装置本体２へ通知する操作部管理情報通知処理ステップと、画像処理装置本体２から前記装置管理情報の変更内容が通知されると、通知された変更内容に対応する前記操作部管理情報を変更する操作部情報同期処理ステップと、を有する情報同期方法を実行している。
【００７３】
したがって、画像処理装置本体２と操作部３の相互に独立したＯＳ２０、ＯＳ３０の管理する管理情報を速やかに同期させることができ、画像処理の適切化を図ることができる。
【００７４】
また、本実施例の画像処理システム１は、画像処理装置本体２が、前記装置管理情報に対する変更要求を受信する管理情報同期部（装置管理情報変更要求受信手段）２４と、受信した前記変更要求に応じて前記装置管理情報を変更する管理情報同期部（装置管理情報変更手段）２４と、前記装置管理情報の変更内容を操作部３へ通知する管理情報同期部（装置管理情報通知手段）２４と、を備え、操作部３が、画像処理装置本体２から前記装置管理情報の変更内容が通知されると、通知された該変更内容に対応する前記操作部管理情報を変更する管理情報同期部（操作部情報同期手段）３２を備えている。
【００７５】
したがって、例えば、クライアント装置等から画像処理装置本体２にアクセスがあって、画像処理装置本体２のＯＳ２０の管理する装置管理情報に対して変更が行われた場合や画像処理装置本体２に別に設けられている操作部から装置管理情報の変更が行われた場合等においても、画像処理装置本体２と操作部３の相互に独立したＯＳ２０、ＯＳ３０の管理する管理情報を速やかに同期させることができ、画像処理の適切化を図ることができる。
【００７６】
さらに、本実施例の画像処理システム１は、画像処理装置本体２の管理情報同期部（装置情報同期手段）２４が、通知された変更内容に対応する前記装置管理情報の変更が禁止されている場合、該装置管理情報を初期値に設定するか、あるいは、該装置管理情報を変更しない。
【００７７】
また、本実施例の画像処理システム１は、操作部３の管理情報同期部（操作部情報同期手段）３２が、通知された前記変更内容に対応する前記操作部管理情報の変更が禁止されている場合、該操作部管理情報を初期値に設定するか、あるいは、該操作部管理情報を変更しない。
【００７８】
したがって、独立したＯＳ２０とＯＳ３０を搭載する画像処理装置本体２と操作部３との間で、該ＯＳ２０とＯＳ３０の管理する管理情報（管理情報）を、同期が可能または必要な場合に速やかに同期させることができるとともに、同期する必要がない場合や同期させることができない場合には、初期値を設定するか、変更しないようにして、適切な画像処理を担保することができる。例えば、操作部３では、日本語、英語、中国語が設定できるが、画像処理装置本体２では、英語、フランス語のみが設定できる場合に、操作部３で、日本語が設定されても、画像処理装置本体２では、日本語を設定することができない。この場合、画像処理装置本体２が、操作部３から日本語への変更要求通知があると、初期値（例えば、英語）に設定することで、公用性を向上させる。また、例えば、ユーザＵが利用可能なアプリケーション情報等を、初期値に戻してしまうと、ユーザＵがアプリケーションの利用性が悪化したり、セキュリティホールにつながる。そこで、このような場合に、変更要求通知があっても、管理情報の変更を行わないことで、利用性やセキュリティを向上させることができる。
【００７９】
さらに、本実施例の画像処理システム１は、画像処理装置本体２の管理情報同期部（装置情報同期手段）２４が、通知された前記変更内容に対応する前記装置管理情報の変更が禁止されている場合、該装置管理情報を初期値に設定するか、あるいは、該装置管理情報を変更しないのいずれかをユーザに選択させる。
【００８０】
また、本実施例の画像処理システム１は、操作部３の管理情報同期部（操作部情報同期手段）３２が、通知された前記変更内容に対応させた前記操作部管理情報の変更が禁止されている場合、該操作部管理情報を初期値に設定するか、あるいは、該操作部管理情報を変更しないのいずれかをユーザに選択させる。
【００８１】
したがって、独立したＯＳ２０とＯＳ３０を搭載する画像処理装置本体２と操作部３との間で、該ＯＳ２０とＯＳ３０の管理する管理情報（管理情報）を、同期が可能または必要な場合に速やかに同期させることができるとともに、同期する必要がない場合や同期させることができない場合には、設置環境やユーザの利用状況等に応じて、初期値を設定するか、変更しないようにして、適切かつ利用性が良好な画像処理を担保することができる。
【００８２】
さらに、本実施例の画像処理システム１は、前記装置管理情報及び前記操作部管理情報が、時刻、言語、タイマ、音量、ネットワーク設定、アカウントのうち少なくとも１つ以上である。
【００８３】
したがって、時刻、言語、タイマ、音量、ネットワーク設定、アカウント等の管理情報を適切かつ速やかに同期させることができ、画像処理の適切化を図ることができる。
【００８４】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００８５】
１  画像処理システム
２  画像処理装置本体
３  操作部
４  通信回線
２０  ＯＳ（装置オペレーションシステム）
２１  スキャナデバイス
２２  プロッタデバイス
２３  印刷制御部
２４  管理情報同期部（装置管理情報変更要求受信手段、装置管理情報変更手段、装置管理情報通知手段、装置情報同期手段）
２５  管理情報保持部
２６  送信制御部
２７  通信制御部
２８  通信Ｉ／Ｆ
３０  ＯＳ（操作部オペレーションシステム）
３１  操作表示部
３２  管理情報同期部（操作部管理情報変更要求受信手段、操作部管理情報変更手段、操作部管理情報通知手段、操作部情報同期手段）
３３  管理情報保持部
３４  通信制御部
３５  通信Ｉ／Ｆ
【先行技術文献】
【特許文献】
【００８６】
【特許文献１】特開２００９−１８６６０７号公報
【図１】
2014110579.tif 000003
【図２】
2014110579.tif 000004
【図３】
2014110579.tif 000005
【図４】
2014110579.tif 000006